(57)【要約】【課題】右開き又は左開き用の電子書籍でも自然な操作で閲覧することできる電子機器、電子機器の表示制御方法、及び電子機器の表示制御プログラムを提供する。【解決手段】電子機器９は、表面に表示部１７が設けられている。両側面には凹凸部２４が設けられている。凹凸部２４を含む両側面の各々には側面接触センサ２７，２８を有する。電子書籍は右開きと左開きとがある。右開きの場合には、閲覧者は右側面接触センサ２７に対してロングタップを操作して右開きを設定する。右開が設定されると左側面接触センサ２８の検出が無効化されかつ右側面１６の凹凸部２４上で矢印５３ａ方向に向けたスライド操作が頁順方向送り操作として認識される。【選択図】図４
2015232752.tif 000002
【特許請求の範囲】
【請求項１】
本体の表面に設けられている表示部と、
前記本体の一側面に設けられている凹凸部と、
前記凹凸部への接触を検出する接触検出部と、
予め順序が設定されている複数の画像を含む表示情報を格納する情報格納部と、
前記接触検出部からの入力情報に基づいて前記表示情報を制御する表示情報制御部と、
前記表示情報制御部により制御される前記表示情報を前記表示部に表示する情報表示部と、を備え、
前記入力情報は、前記凹凸部に対してスライド操作される情報であり、
前記表示情報制御部は、前記スライド操作の方向に基づいて、順方向又は逆方向のブラウジングを行うように前記表示情報を制御することを特徴とする電子機器。
【請求項２】
前記接触検出部は、対向する両側面に設けられていることを特徴とする請求項１に記載の電子機器。
【請求項３】
前記両側面に設けられた各接触検出部から得られる前記入力情報に基づいて右開き頁入力か左開き頁入力かを判断する判断部と、
前記判断部の判断に基づいて、前記各接触検出部のうちのいずれか一方の接触検出部の検出を無効化する無効化部と、を備えることを特徴とする請求項２に記載の電子機器。
【請求項４】
前記判断部、及び前記無効化部は、前記両側面のうちの一方の側面に設けた前記接触検出部から前記入力情報を検出する場合、前記一方とは逆の他方の側面に設けた前記接触検出部の検出を無効化することを特徴とする請求項３に記載の電子機器。
【請求項５】
予め右開き頁入力か左開き入力かの開き情報を含む属性情報を格納する情報格納部と、
前記開き情報に応じて、前記各接触検出部のうちのいずれか一方の接触検出部の検出を無効化する無効化部と、を備えることを特徴とする請求項２に記載の電子機器。
【請求項６】
前記側面に窪み部を設け、
前記凹凸部と前記接触検出部は、前記窪み部に設けられていることを特徴とする請求項１から５のいずれか一項に記載の電子機器。
【請求項７】
前記窪み部は、前記本体をホールドするときの指が接する位置に複数設けられていることを特徴とする請求項６に記載の電子機器。
【請求項８】
前記側面、又は前記窪み部は、厚み方向に曲面になっていることを特徴とする請求項１から７のいずれか一項に記載の電子機器。
【請求項９】
前記側面、又は前記窪み部は、一頁ずつブラウジングを行う操作情報を入力する第１入力部と、複数頁をいっぺんにブラウジングする操作情報を入力する第２入力部とを有することを特徴とする請求項１から７のいずれか一項に記載の電子機器。
【請求項１０】
請求項２を引用する請求項３から８のいずれか一項に記載の電子機器において、前記両側面に設けられている複数の前記接触検出部は、可撓性を有する一枚の導電シートにより形成されていることを特徴とする電子機器。
【請求項１１】
前記導電シートは、熱処理により前記表面及び前記側面の形状に形成された後に前記本体に取り付けられることを特徴とする請求項１０に記載の電子機器。
【請求項１２】
表示部が設けられた本体の表面に繋がる一側面に設けられている凹凸部に有する接触検出部を通じて、前記凹凸部に対して行われるスライド操作に応じた入力情報が入力されるステップと、
予め順序が設定されている複数の画像を含む表示情報を、前記スライド操作の方向に基づいて、順方向または逆方向のブラウジングを行うように制御して前記表示部に表示するステップと、
を含むことを特徴とする電子機器の表示制御方法。
【請求項１３】
前記接触検出部は、対向する両側面に設けられており、
前記両側面に設けられた各接触検出部から得られる前記入力情報に基づいて右開き頁入力か左開き頁入力かを判断する判断ステップと、
前記判断ステップでの判断に基づいて、前記各接触検出部のうちのいずれか一方の接触検出部の検出を無効化する無効化ステップと、
を含むことを特徴とする請求項１２に記載の電子機器の表示制御方法。
【請求項１４】
前記無効化ステップは、前記両側面のうちの一方の側面に設けた前記接触検出部から得られる前記入力情報を検出する場合、他方の側面に設けた前記接触検出部の検出を無効化することを特徴とする請求項１３に記載の電子機器の表示制御方法。
【請求項１５】
本体の表面に設けられた表示部と、一側面に設けられた凹凸部への接触を検出する接触検出部とを有する電子機器に、
前記接触検出部を通じて、前記凹凸部に対して行われるスライド操作に応じた入力情報が入力されるステップと、
予め順序が設定されている複数の画像を含む表示情報を、前記スライド操作の方向に基づいて、順方向または逆方向のブラウジングを行うように制御して前記表示部に表示するステップと、
を実行させることを特徴とする電子機器の表示制御プログラム。
【請求項１６】
前記接触検出部は、対向する両側面に設けられており、
前記両側面に設けられた各接触検出部から得られる前記入力情報に基づいて右開き頁入力か左開き頁入力かを判断する判断ステップと、
前記判断ステップでの判断に基づいて、前記各接触検出部のうちのいずれか一方の接触検出部の検出を無効化する無効化ステップと、
を実行することを特徴とする請求項１５に記載の電子機器の表示制御プログラム。
【請求項１７】
前記無効化ステップは、前記両側面のうちの一方の側面に設けた前記接触検出部から得られる前記入力情報を検出する場合、他方の側面に設けた前記接触検出部の検出を無効化する、ことを特徴とする請求項１６に記載の電子機器の表示制御プログラム。
【発明の詳細な説明】
【技術分野】
【０００１】
本発明は、電子機器、電子機器の表示制御方法、及び電子機器の表示制御プログラムに関する。
【背景技術】
【０００２】
近年、ユーザインターフェース(User Interface)として表示画面にタッチパネルを設けた携帯型の電子機器が増えている。このような電子機器のタッチパネルは、画面をタッチするだけで直感的にその電子機器を操作することができるので極めて便利である。このような電子機器を利用して電子書籍を読むことが流行になっている。電子書籍としては、漫画が人気である。日本におけるマンガは、一般的に頁を左から右に捲っていく右開きであり、右頁から左頁に読み進め、頁内のコマも右から左へと読み進める。これは、日本語の漫画のもう時が縦書きであることによる。これに対し英語圏、例えば西洋のマンガは、左開きであり、左頁から右頁に読み進め、頁内のコマも左から右に読み進める。
【０００３】
左開きは、本や雑誌等で、頁を左に繰っていくことをいう。横組みの本を左開きに製本する方法が常識である。表紙に対して左側を綴じることから左綴じともいわれる。右開きは左開きの逆をいう。
【０００４】
実際の本や書類に対するブラウジングと似た感覚で、簡単にブラウジングをすることができるブラウジング装置が知られている（例えば、特許文献１）。
【先行技術文献】
【特許文献】
【０００５】
【特許文献１】特開平２−２３０３１３
【発明の概要】
【発明が解決しようとする課題】
【０００６】
しかし、電子書籍を閲覧するためのビューアソフトは、一般的に、右開き、左開きに関係なく、左向きスライド操作が次頁に送る操作に、右向きスライド操作が前頁に戻す操作になっており、右開きの電子書籍では実際の本とは読み進める方向と操作する方向が逆になり、違う動作を強いられる。
【０００７】
特許文献１に記載のブラウジング装置では、入力手段が一か所にしか設けられていないため、右開き・左開きの電子書籍に応じて、紙を手で捲るような自然な感覚で頁送りをすることができない欠点があった。
【０００８】
本発明は、右開き及び左開き用のどちらの電子書籍でも自然な操作でブラウジングすることができる電子機器を提供することを目的とする。
【課題を解決するための手段】
【０００９】
本発明の電子機器の一形態では、本体の表面に設けられている表示部と、本体の一側面に設けられている凹凸部と、凹凸部への接触を検出する接触検出部と、予め順序が設定されている複数の画像を含む表示情報を格納する情報格納部と、接触検出部からの入力情報に基づいて表示情報を制御する表示情報制御部と、表示情報制御部により制御される表示情報を表示部に表示する情報表示部と、を備え、入力情報は、凹凸部に対してスライド操作される情報であり、表示情報制御部は、スライド操作の方向に基づいて、順方向又は逆方向のブラウジングを行うように表示情報を制御する。
【００１０】
接触検出部としては、電子書籍の開き方向、又は利き手に応じて操作が簡便になるように、対向する両側面に設けるのが好適である。また、両側面に設けられた各接触検出部から得られる入力情報に基づいて右開き頁入力か左開き頁入力かを判断する判断部と、判断部の判断に基づいて各接触検出部のうちのいずれか一方の接触検出部の検出を無効化する無効化部と、を備えるのが好適である。
【００１１】
判断部、及び無効化部としては、両側面のうちの一方の側面に設けた接触検出部から入力情報を検出する場合、一方とは逆の他方の側面に設けた接触検出部の検出を無効化するのが好適である。
【００１２】
また、開き情報を自動的に設定してもよい。この場合には、予め右開き頁入力か左開き入力かの開き情報を含む属性情報を格納する情報格納部と、前記開き情報に応じて、前記各接触検出部のうちのいずれか一方の接触検出部の検出を無効化する無効化部と、を備えるのが好適である。
【００１３】
側面に窪み部を設け、凹凸部と接触検出部は、窪み部に設けるのが好適である。窪み部は、本体をホールドするときの指が接する位置に複数設けるのが好適である。側面又は窪み部は、曲面にするのが好適である。側面又は窪み部は、一頁ずつブラウジングを行う操作情報を入力する第１入力部と、複数頁をいっぺんにブラウジングする操作情報を入力する第２入力部とを有するのが好適である。
【００１４】
複数の接触検出部は、可撓性を有する一枚の導電シートにより形成するのが好適である。導電シートとしては、熱処理により表面及び側面の形状に形成された後に本体に取り付けるのが好適である。
【００１５】
本発明の電子機器の表示制御方法の一観点によれば、表示部が設けられた本体の表面に繋がる一側面に設けられている凹凸部に有する接触検出部を通じて、凹凸部に対して行われるスライド操作に応じた入力情報が入力されるステップと、予め順序が設定されている複数の画像を含む表示情報を、スライド操作の方向に基づいて、順方向または逆方向のブラウジングを行うように制御して表示部に表示するステップと、を含むものである。
【００１６】
本発明の電子機器の表示制御プログラムの一観点によれば、本体の表面に設けられた表示部と、一側面に設けられた凹凸部への接触を検出する接触検出部とを有する電子機器に、接触検出部を通じて凹凸部に対して行われるスライド操作に応じた入力情報が入力されるステップと、予め順序が設定されている複数の画像を含む表示情報をスライド操作の方向に基づいて順方向または逆方向のブラウジングを行うように制御して表示部に表示するステップと、を実行させるものである。
【発明の効果】
【００１７】
側面に接触検出部を設けたから、左開き又は右開きの電子書籍をブラウジングするときに不自然な操作を解消することができる。また、凹凸部を設けているので、実際の本の端を捲る感覚を付与することができる。
【図面の簡単な説明】
【００１８】
【図１】電子機器の斜視図である。
【図２】図１に示した電子機器の右側面の要部拡大図である。
【図３】電子機器の右側面の要部断面図である。
【図４】右開きでの頁順方向送り操作を示す説明図である。
【図５】電子機器を構成する導電シートと本体とを示す分解斜視図である。
【図６】電子機器の電気的構成を示すブロック図である。
【図７】左開きでの頁順方向送り操作を示す説明図である。
【図８】頁捲りの手順を説明するフローチャートである。
【図９】無効化処理の手順を説明するフローチャートである。
【図１０】操作判定処理の手順を説明するフローチャートである。
【図１１】画面制御処理の手順を説明するフローチャートである。
【図１２】右開き又は左開きに応じた入力情報の定義を示す説明図である。
【図１３】側面に沿ったスライド操作の例の入力情報の定義を示す説明図である。
【図１４】図１３の例の右開きでの頁順方向送り操作を示す説明図である。
【図１５】図１３の例の左開きでの頁順方向送り操作を示す説明図である。
【図１６】右開きのときに右側面接触センサを無効にする例の入力情報の定義を説明する説明図である。
【図１７】図１６の例の右開きでの頁順方向送り操作を示す説明図である。
【図１８】図１６の例の左開きでの頁順方向送り操作を示す説明図である。
【図１９】図１６とは別の例の入力情報の定義を示す説明図である。
【図２０】図１９の例の右開きでの頁順方向送り操作を示す説明図である。
【図２１】図１９の例の左開きでの頁順方向送り操作を示す説明図である。
【図２２】図１９の例の頁捲り間に表示する画像を示す説明図である。
【図２３】側面に窪み部を設けた電子機器の実施形態を示す正面図である。
【図２４】図２３に示す窪み部を拡大した拡大斜視図である。
【図２５】左側面に複数の窪み部を設けた電子機器の正面図である。
【図２６】横姿勢のときに見開き表示を行う電子機器のブロック図である。
【図２７】見開き表示の画像を説明する説明図である。
【図２８】横姿勢で見開き表示を行う手順を示すフローチャートである。
【図２９】図２８の例で無効化処理を行う手順のフローチャートである。
【図３０】開き情報を自動的に設定する例のブロック図である。
【発明を実施するための形態】
【００１９】
図１は、本発明の一形態である電子機器９を示す。電子機器９は、図１に示すように、電話機能を有する携帯型の情報端末となっており、外装である本体１０は、矩形薄型の六面体の形状になっている。本体１０は、他の面よりも面積が広い矩形な表面１１と裏面１２、及び表面１１と裏面１２を繋ぐ４つの側面で構成されている。４つの側面は、同図に示す縦姿勢を基準にして、上面１３、下面１４、左側面１５、及び右側面１６となっている。表面１１には、矩形な表示部１７を有するタッチパネル１８が設けられている。なお、縦姿勢は、表示部１７の長辺を垂直方向に置いて表示を見る姿勢である。
【００２０】
タッチパネル１８は、表示部１７とタッチセンサ１９とを有する。タッチセンサ１９としては、抵抗膜方式、静電容量式、及び感圧式等のいずれかの方式を利用することができる。表示部１７には、初期画面（ホーム画面）等が表示される。初期画面は、各種アプリケーションのアイコンが表示されており、一のアイコンをタップすることで、タップしたアイコンにリンクするアプリケーションを起動させることができる。タップは、一本の指で押す操作である。
【００２１】
表面１１には、ＴＯＰボタン２０、スピーカ２１、及びマイク２２を有する。ＴＯＰボタン２０は、初期画面に復帰させるボタンである。スピーカ２１は、通話相手の音声や、各種プログラムによって再生される音楽や効果音等を出力する。マイク２２は、通話時や音声による操作の受付時に音声を取得する。上面１３には、電源ボタン２３が設けられている。
【００２２】
図２は、右側面１６の拡大図である。右側面１６は、図２に示すように、凸を外に向けた曲面になっており、曲面上に凹凸部２４を有する。凹凸部２４には、右側面１６の長辺方向に長く延ばして形成された凸条２５が、厚み方向（表示部１７に交差する方向）に２個並べて設けられている。なお、左側面１５も右側面１６の構成と同様に、凸を外に向けた曲面上に、凸条２５を有する凹凸部２４が設けられている。また、凹凸部２４としては、凸条２５を１個、又は３個以上並べて設けた構成としてもよい。さらに、凸条２５の代わりに、スリットを設けてもよい。スリットとしては、切欠きや溝を含む。
【００２３】
右側面１６、及び左側面１５には、接触センサ２７，２８が各々設けられている。接触センサ２７，２８は、指を用いて凹凸部２４に対して行われる各種操作を検出する。以下、説明のために、ここで、右側面１６の接触センサ２７を右側面接触センサ２７、左側面１５にある接触センサ２８を左側面接触センサ２８と称す。接触センサ２７，２８が各種操作を検出する方式は、抵抗膜方式、静電容量式、及び感圧式等のいずれかの方式を利用することができる。右側面接触センサ２７、及び左側面接触センサ２８は、接触検出部の一例である。
【００２４】
右側面接触センサ２７と左側面接触センサ２８とは、例えば電子書籍を閲覧している場合、凹凸部２４に対して、例えば指で所定時間以上触って離すロングタップ、及びロングタップよりも短く触って離すタップ、及びスライド操作に対応する入力情報をそれぞれ出力する。
【００２５】
図３は、電子機器９の右側面の要部断面を示す。右側面１６は、図３に示すように、外から順に保護シート３０、右側面接触センサ２７を含む導電シート３１、及び本体１０の一部を構成するカバー３２を有する層構造になっている。保護シート３０、及び導電シート３１は、弾性特性（可撓性）を有し、かつ、熱収縮性を有する。なお、左側面１５も、右側面１６と同様な層構造になっている。
【００２６】
図４は、右開きコンテンツの場合に次頁を表示するスライド操作を示す。閲覧者は、図４に示すように、例えば右手人差し指５２で右側面１６の凹凸部２４上を表示部１７から離れる方向（矢印５３ａ方向）に向けてスライド操作（以下、「第１スライド操作」と称す）５３を行う。これにより、右側面接触センサ２７が第１スライド操作の入力情報を検出し、ＣＰＵ３８により画像データ４７の表示が、次頁の画像に切り換わるように制御される。なお、矢印５３ａ方向とは逆の方向へのスライド操作（以下「第２スライド操作」と称す）は、前頁の画像を表示する頁逆方向送り操作となる。
【００２７】
図５は、電子機器９を構成する本体１０と導電シート３１とを示す。導電シート３１は、図５に示すように、右側面接触センサ２７、タッチセンサ１９、及び左側面接触センサ２８に渡るサイズの一枚の透明なシートにより作られている。導電シート３１は、導電パターンを設けたフィルム基材を複数重ねて作られている。このような導電シート３１は、外面に保護シート３０を貼り付けた状態で、熱処理により熱収縮されて本体１０と同様な形に形成され、その後に、本体１０に被せるように取り付けられる。このとき、本体１０の左側面１５、表面１１、及び右側面１６に渡る形状と同じ形状を有する型を利用して熱処理を行う。型には、凹凸部２４を含む本体１０の表面形状が形成されており、導電シート３１には、凹凸部２４の表面形状が転写される。
【００２８】
なお、導電シート３１としては、１シートではなく、左側面１５、及び右側面１６用として個別に分けて設けてもよい。この場合、導電シート３１の外面に保護シート３０を貼り付けた状態で、熱処理により側面の形状にそれぞれ形成し、その後に左側面１５、及び右側面１６にそれぞれ取り付ければよい。
【００２９】
図６は、電子機器９の電気的構成を示す。図６に示すように、電子機器９は、表示部１７、導電シート３１、ＴＯＰボタン２０、電源ボタン２３、電源部３５、通信部３６、スピーカ２１、マイク２２、記憶部３７、ＣＰＵ（Central Processing Unit）３８、及びＲＡＭ（Random Access Memory）３９を有する。
【００３０】
導電シート３１は、表面１１のタッチセンサ１９、右側面接触センサ２７、及び左側面接触センサ２８を有する。タッチセンサ１９は、指を用いて行われる各種操作となる入力情報を、操作が行われた表示部１７上での位置の情報とともに検出し、検出した情報をＣＰＵ３８に通知する。タッチセンサ１９により検出される操作には、タップやスイープ等が含まれる。表示部１７は、例えば、液晶ディスプレイ（ＬＣＤ(Liquid Crystal Display)）、又は有機ＥＬ（Organic Electro Luminescence）パネル等で構成され、画像や文字等を表示する。なお、表示部１７は、情報表示部の一例である。
【００３１】
ＴＯＰボタン２０は、例えば、物理的なボタンで構成されており、押下操作に対応する信号をＣＰＵ３８へ送る。右側面接触センサ２７と左側面接触センサ２８とは、各種操作である入力情報を、操作が行われた位置の情報とともに検出し、検出した情報をＣＰＵ３８に通知する。
【００３２】
電源部３５は、電源ボタン２３のオン操作により作動して、蓄電池、又は外部電源から得られる電力を、ＣＰＵ３８を含む各部へ供給する。
【００３３】
通信部３６は、基地局との間で信号を送受信するアンテナを有し、基地局との間で電話通信、及び情報通信を行う。スピーカ２１は、ＣＰＵ３８から送られる音声信号を音声として出力する。マイク２２は、利用者等の音声を音声信号へ変換して、変換された音声信号をＣＰＵ３８へ送る。
【００３４】
記憶部３７は、例えば不揮発性メモリや磁気記憶装置であり、ＣＰＵ３８での処理に利用されるプログラムやデータを保存する。記憶部３７に記憶されるプログラムは、電子書籍用の閲覧プログラム４１、画面制御プログラム４２、操作判定プログラム４３、操作定義データ４４、無効化プログラム４５、及び操作判断プログラム４６を有する。また、記憶部３７に記憶されるデータは、電子書籍である画像データ４７を有する。
【００３５】
記憶部３７は、電子機器９の基本的な機能を実現するオペレーティングシステムプログラムや通信部３６に必要なプログラムやデータも記憶する。なお、記憶部３７としては、メモリカード等の外部記憶媒体と、外部記憶媒体からデータを読み取る読取り部とを有する構成でもよい。記憶部３７は、情報格納部の一例である。
【００３６】
閲覧プログラム４１は、画像データを閲覧するためのアプリケーションである。操作判定プログラム４３は、閲覧プログラム４１の実行に応答してＣＰＵ３８により起動され、右側面接触センサ２７、及び左側面接触センサ２８から得られる入力情報に基づいて、電子書籍である画像データ４７の画像（コンテンツ）に応じて右開きか左開きかを判断する。コンテンツが右開きの場合には、実際の本の右綴じに対応し、頁を右に捲っていく。コンテンツが左開きの場合には、実際の本の左綴じに対応し、頁を左に捲っていく。
【００３７】
無効化プログラム４５は、閲覧プログラム４１の実行に応答してＣＰＵ３８により起動され、コンテンツに応じて右開き又は左開きかを設定する操作（開き設定操作）に基づいて、右側面接触センサ２７と左側面接触センサ２８とのうちのいずれか一方の検出を無効化する。
【００３８】
開き設定操作は、例えば、右側面接触センサ２７、又は左側面接触センサ２８から得られる、例えばロングタップの操作により行われる。ＣＰＵ３８は、カウント部４８を有しており、無効化プログラム４５に従って無効化処理を実行する。無効化処理は、カウント部４８により右側面接触センサ２７又は左側面接触センサ２８に継続して触れられている入力情報の検出時間を計時する。
【００３９】
ＣＰＵ３８は、カウント部４８の値が予め決められた値（所定値）を経過することを検出すると、触れられているセンサが左側面接触センサ２８の場合は画像データ４７が左開きであると判断する。また、右側面接触センサ２７の場合は、画像データ４７が右開きであると判断する。
【００４０】
ＣＰＵ３８は、開き設定操作により右開きが設定された場合、左側面接触センサ２８の検出を無効化し、また、左開きが設定された場合には右側面接触センサ２７の検出を無効化する。なお、ＣＰＵ３８、及び無効化プログラム４５は、無効化部の一例である。
【００４１】
なお、開き設定操作としては、ロングタップの代わりに、素早く２回叩く操作（ダブルタップ）等でもよい。開き設定操作は、右開き頁入力及び左開き頁入力の一例である。
【００４２】
操作定義データ４４は、右側面接触センサ２７と左側面接触センサ２８とから得られる入力情報に対応する機能についての定義を保持する。操作定義データ４４は、例えば、右開きが設定され、かつ第１スライド操作５３の入力情報が右側面接触センサ２７で検出される場合に、頁順方向送り操作であると定義している。第２スライド操作５６の入力情報の場合には、頁逆方向送り操作であると定義している。
【００４３】
図７は、左開きでの頁順方向送り操作を示す。左開きが設定されている場合には、表示部１７の表示は、図７に示すように、表示部１７から離れる方向５６ａに向けたスライド操作（以下、「第３スライド操作」と称す）により、左開きで頁が捲られる画像となる。操作定義データ４４は、左開きが設定され、かつ、第３スライド操作の入力情報が左側面接触センサ２８で検出される場合、頁順方向送り操作であると定義する。なお、左開き設定では、矢印５６ａ方向とは逆の方向へのスライド操作（以下「第４スライド操作」と称す）が前頁の画像を表示する頁逆方向送り操作であると定義されている。
【００４４】
操作判断プログラム４６は、タッチセンサ１９、右側面接触センサ２７、及び左側面接触センサ２８により検出される入力情報に応じて各種の操作情報をＣＰＵ３８に対して提供する。操作情報としては、開き設定操作、頁順方向送り操作、及び頁逆方向送り操作等を有する。ＣＰＵ３８は、操作判断プログラム４６から得られる設定操作に基づいて、右開又は左開きのどちらが設定されたかを判断する。
【００４５】
頁順方向送り操作、又は頁逆方向送り操作は、右側面接触センサ２７、又は左側面接触センサ２８から得られる入力情報と操作定義データ４４とに基づいてＣＰＵ３８により判断される。ＣＰＵ３８、及び操作判断プログラム４６等は、判断部の一例である。
【００４６】
ＣＰＵ３８は、電子機器９の動作を統括的に制御して各種の機能を実現する。具体的には、ＣＰＵ３８は、記憶部３７に記憶されているデータやＲＡＭ３９に展開したデータを必要に応じて参照しつつ、記憶部３７に記憶されているプログラムに含まれる命令を実行して、表示部１７や通信部３６等を制御することにより各種機能を実現する。なお、ＣＰＵ３８が実行するプログラムや参照するデータとしては、通信部３６による無線通信で外部のサーバ装置からダウンロードしてもよい。
【００４７】
ＣＰＵ３８は、例えば、閲覧プログラム４１等を実行することにより、画像データ４７を閲覧する機能を実現する。また、ＣＰＵ３８は、操作判断プログラム４６等を実行することにより、タッチセンサ１９、右側面接触センサ２７、及び左側面接触センサ２８により検出される各種の接触操作に応じて入力情報を特定し、特定した入力情報に対応する処理を実行する機能を実現する。また、ＣＰＵ３８は、画面制御プログラム４２を実行することによって、各種機能で用いられる画面等を表示部１７に表示させる機能を実現する。なお、ＣＰＵ３８は、オペレーティングシステムプログラムによって提供されるマルチタスク機能によって、複数のプログラムを並行して実行することができる。
【００４８】
ＲＡＭ３９は、ＣＰＵ３８により実行されるプログラムの命令、ＣＰＵ３８が参照するデータ、ＣＰＵ３８の演算結果等が一時的に記憶される記憶領域として利用される。
【００４９】
電子書籍である画像データ４７は、複数の画像と、複数の画像の順序の情報とを有している。なお、画像データ４７は、通信部３６を使用して外部から取り込んでもよい。画像データ４７は、表示情報の一例である。
【００５０】
画面制御プログラム４２は、各種プログラムが提供する機能と協業して、表示部１７に画像や文字等を表示させる。ＣＰＵ３８は、画面制御プログラム４２に従うことで、指定された画像データの画像を表示するよう制御するとともに、頁順方向送り操作の入力情報を受け付けた場合に、次頁の画像を表示し、また頁逆方向送り操作の入力情報を受け付けた場合には、前頁の画像を表示するように表示を制御する。ＣＰＵ３８、画面制御プログラム４２等は、表示情報制御部の一例である。
【００５１】
以下、上記構成の作用について、図８を参照しながら説明する。図８は、電子書籍である画像データ４７を閲覧する手順を示す。ＣＰＵ３８は、電源ボタン２３のオン操作に応答して、主プログラムが実行され、主プログラムに従って図８に示す各手順が処理される。
【００５２】
表示部１７には、閲覧プログラム４１にリンクされるアイコンが表示されている。閲覧プログラム４１のアイコンをタップすることに応答してＣＰＵ３８は、閲覧プログラム４１を実行する（Ｓ１１００）。また、ＣＰＵ３８は、閲覧プログラム４１の実行に応答して操作判定プログラム４３、及び無効化プログラム４５を起動する（Ｓ１２００）。さらに、ＣＰＵ３８は、閲覧プログラム４１の実行に応答して、操作定義データ４４をＲＡＭ３９に読み込む（Ｓ１３００）。
【００５３】
閲覧プログラム４１が実行されると、閲覧者は、閲覧対象の画像データ４７を指定する。ＣＰＵ３８は、指定された画像データ４７の一部を読み込むように制御する（Ｓ１４００）。閲覧プログラム４１は、読み込んだ画像データ４７の所定の画像、例えば第１頁の画像を表示部１７に表示する（Ｓ１５００）。なお、ＣＰＵ３８は、画像データ４７のうちの残りの画像をＲＡＭ３９に予め読み込む先読み処理を実行する。ＣＰＵ３８は、次回からＲＡＭ３９から画像データ４７の画像を読み出すよう制御する。
【００５４】
その後、ＣＰＵ３８は、閲覧プログラム４１に従うことで、無効化処理（Ｓ１６００）、操作判定処理（Ｓ１７００）、画面制御処理（Ｓ１８００）を実行する。なお、ＣＰＵ３８は、終了操作に応答して、閲覧プログラム４１を終了する（Ｓ１９００のＹ側）。
【００５５】
図９は、無効化処理の手順を示す。無効化処理は、無効化プログラム４５に従ってＣＰＵ３８により実行される。図９に示すように、ＣＰＵ３８は、右側面接触センサ２７又は左側面接触センサ２８から得られる入力情報に基づいて、指が接触していることを検出すると（Ｓ１６１０）、指の接触が継続される入力情報の検出時間をカウント部４８でカウントする（Ｓ１６２０）。ＣＰＵ３８は、カウント部４８の計時により、検出時間が所定時間を経過することを検出すると（Ｓ１６３０のＹ側）、接触しているセンサが右側面接触センサ２７の場合（Ｓ１６４０のＹ側）、画像データ４７の画像が右開きであると判断して、左側面接触センサ２８の検出を無効化する（Ｓ１６５０）。また、ＣＰＵ３８は、接触しているセンサが左側面接触センサ２８の場合（Ｓ１６４０のＮ側）、画像データ４７の画像が左開きであると判断して、右側面接触センサ２７の検出を無効化する（Ｓ１６６０）。
【００５６】
図１０は、操作判定処理の手順を示す。操作判定処理は、操作判定プログラム４３に従ってＣＰＵ３８により実行される。図１０に示すように、ＣＰＵ３８は、検出が有効化されている右側面接触センサ２７又は左側面接触センサ２８から得られる入力情報が、厚み方向に向けたスライド操作であるか否かに基づいて、頁送り操作か否かを判断する（Ｓ１７１０）。ＣＰＵ３８は、頁送り操作であると判断した場合、スライド操作が表示部１７から離れる方向に向けたスライド操作、つまり第１又は第３スライド操作か否かに基づいて、頁順方向送り操作か頁逆方向送り操作かを判断する（Ｓ１７２０）。ＣＰＵ３８は、第１スライド操作又は第３スライド操作である場合、頁順方向送り操作であると判断し（Ｓ１７２０のＹ側）、頁順方向送り信号を送出する（Ｓ１７３０）。逆に、表示部１７に近づく方向に向けたスライド操作、つまり第２スライド操作又は第４スライド操作である場合には、頁逆方向送り操作であると判断し（Ｓ１７２０のＮ側）、頁逆方向送り信号を送出する（Ｓ１７４０）。なお、ＣＰＵ３８は、頁送り操作でないと判断した場合、入力操作に応じた処理を行う（Ｓ１７５０）。
【００５７】
図１１は、画面制御処理の手順を示す。画面制御処理は、画面制御プログラム４２に従ってＣＰＵ３８により実行される。図１１に示すように、ＣＰＵ３８は、頁送り信号が入力されるか否かを監視し（Ｓ１８１０）、頁送り信号が入力されると（Ｓ１８１０のＹ側）、信号が頁順方向送り信号か否かを判断する（Ｓ１８２０）。頁順方向送り信号であると判断した場合（Ｓ１８２０のＹ側）、最終頁であるか否かを判断し（Ｓ１８３０）、最終頁でない場合（Ｓ１８３０のＮ側）、次頁の画像を表示するように制御する（Ｓ１８４０）。なお、最終頁である場合には、画像を切り換えず、最終頁の画像に保持する。また、頁逆方向送り信号であると判断した場合（Ｓ１８２０のＮ側）、第１頁であるか否かを判断し（Ｓ１８５０）、第１頁でない場合（Ｓ１８５０のＮ側）、前頁の画像を表示するように制御する（Ｓ１８６０）。なお、第１頁である場合には、画像を切り換えず、第１頁の画像に保持する。
【００５８】
画像データ４７の右開きか左開きかは、画像データ４７に含まれる複数の画像に表示されている文字が縦書きか横書きか、又は絵の向き等に応じて閲覧者により設定される。図１２は、コンテンツに応じた開き設定操作に基づいて、無効化するセンサ、及び頁順方向送りとなるスライド操作の方向を特定するための定義を表している。
【００５９】
前述したように、閲覧者は、右開きを設定する場合、右側面１６の凹凸部２４を含む範囲にロングタップを行う。これにより、ＣＰＵ３８は、右側面接触センサ２７の検出を有効にし、左側面接触センサ２８の検出を無効化する。この場合、ＣＰＵ３８は、右側面接触センサ２７に対して、第１スライド操作を頁順方向送り操作と判断する。このとき、左側面接触センサ２８の検出が無効化されているので、例えば左手で左側面接触センサ２８に触れても、頁が捲られる等の問題が生じることはない。なお、図１２の例では、第１スライド操作とは逆方向となる第２スライド操作が頁逆方向送り操作として定義される。
【００６０】
また、閲覧者は、左開きを設定する場合には、左側面１５の凹凸部２４を含む範囲にロングタップを行う。これにより、ＣＰＵ３８は、左側面接触センサ２８の検出を有効にし、右側面接触センサ２７の検出を無効化する。この場合、ＣＰＵ３８は、左側面接触センサ２８に対して、第３スライド操作を頁順方向送り操作と判断する。また、第３スライド操作とは逆方向となる第４スライド操作を、頁逆方向送り操作として判断する。
【００６１】
閲覧者は、図４で説明したように、右開きを設定している場合、例えば右手人差し指５２で右側面１６の凹凸部２４上で第１スライド操作を行う。これにより、右側面接触センサ２７が第１スライド操作の入力情報を検出し、ＣＰＵ３８により画像データ４７の画像が次の画像に切り換わるように制御される。
【００６２】
第１スライド操作は、所定間隔離して設けた２個の凸条２５の上をなぞる操作であるため、実際の本の端を捲るような感覚を与えることができる。なお、次頁を表示するまでの間に、図４に示すように、右に頁を捲るような演出をする画像（ページエフェクト画像）５４を表示してもよい。
【００６３】
左開きを設定している場合には、図７で説明したように、例えば左手人差し指５５で左側面１５の凹凸部２４上で第３スライド操作を行う。これにより、左側面接触センサ２８が第３スライド操作の入力情報を検出し、ＣＰＵ３８により画像データの表示が、例えば、図７に示すように、左に頁を捲るような演出をする画像５７を介して、次頁の画像に切り換わるように制御される。
【００６４】
上記実施形態では、頁送りを行うためのスライド操作として、表示部１７に交差する方向のスライド操作としているが、これに限らず、例えば凹凸部２４を構成する凸条２５の延び方向（側面の長辺方向）に向けたスライド操作としてもよい。
【００６５】
図１３は、凹凸部２４に対して長辺方向（上下方向）への直線的なスライド操作を行うことで頁送りを行う例を示す。この例では、コンテンツに応じた開き設定操作、及び開き設定操作に基づいて無効化するセンサの定義は、図１２で説明したと同様であり、違いは、上面１３に向けたスライド操作（以下、「第５スライド操作」と称す）が頁順方向送り操作であると定義されている点にある。なお、この場合、図１３には記載がないが、下面１４に向けたスライド操作（以下、「第６スライド操作」と称す）が頁逆方向送り操作として定義される。
【００６６】
図１４は、図１３で説明した例のうち、右開き設定での頁順方向送り操作を示す。閲覧者は、図１４に示すように、右開きに設定されている場合、例えば右手人差し指５２で右側面１６の凹凸部２４上で、矢印５８の方向に向けたスライド操作を行う。これにより、ＣＰＵ３８は、右側面接触センサ２７から第５スライド操作の入力情報を検出することで、画像データ４７の表示が次頁の画像に切り換わるように表示を制御する。逆に、矢印５８とは逆の方向に向けた第６スライド操作の入力情報を検出すると、ＣＰＵ３８は、頁逆方向送り操作として判断する。
【００６７】
図１５は、図１３で説明した例のうち、左開き設定での頁順方向送り操作を示す。左開きが設定されている場合には、図１５に示すように、例えば左手人差し指５５で左側面１５の凹凸部２４の上で、矢印５８方向に向けたスライド操作（第７スライド操作）を行う。これにより、左側面接触センサ２８が第７スライド操作を検出し、ＣＰＵ３８により画像データの表示が次頁の画像に切り換わるように表示が制御される。逆に、矢印５８とは逆の方向に向けたスライド操作（第８スライド操作）を検出すると、ＣＰＵ３８は、頁逆方向送り操作として判断する。
【００６８】
なお、上記各実施形態では、例えばロングタップがなされた側面にある側面接触センサを有効にしているが、例えばロングタップがなされた側面とは逆の側面にある側面接触センサを有効にしてもよい。また、上記各実施形態では、右側面１６に、例えばロングタップを操作して右開き設定をする場合、左側面接触センサ２８の検出を無効にして右側面接触センサ２７の検出を有効にしているが、本発明ではこれに限らず、右側面接触センサ２７の検出を無効にして左側面接触センサ２８の検出を有効にしてもよい。
【００６９】
図１６は、右開きが設定されている場合、右側面接触センサ２７の検出を無効にして、左側面接触センサ２８の検出を有効する例を示す。この例では、右開きを設定する場合、左側面接触センサ２８に対して、例えばロングタップを行う。これにより、ＣＰＵ３８は、左側面接触センサ２８の検出を有効にし、右側面接触センサ２７の検出を無効化する。
【００７０】
図１７は、図１６で説明した例のうち、右開き設定での頁順方向送り操作を示す。ＣＰＵ３８は、図１７に示すように、右開きが設定された場合、左側面１５の凹凸部２４上で行われる、表示部１７に近づく方向に向けたスライド操作（以下、「第９スライド操作」と称す）を、左側面接触センサ２８で検出することで、頁順方向送り操作であると判断する。これにより、ＣＰＵ３８は、画像データ４７の表示が次頁の画像に切り換わるように制御する。逆に、表示部１７から離れる方向に向けたスライド操作（以下、「第１０スライド操作」と称す）を検出することで、頁逆方向送り操作として判断する。
【００７１】
図１８は、図１６で説明した例のうち、左開き設定での頁順方向送り操作を示す。左開きを設定する場合、右側面接触センサ２７に対してロングタップを行う。これにより、ＣＰＵ３８は、右側面接触センサ２７の検出を有効にし、左側面接触センサ２８の検出を無効化する。
【００７２】
ＣＰＵ３８は、左開きが設定された場合、図１８に示すように、例えば右手人差し指５２で右側面１６の凹凸部２４上で行われる、表示部１７に近づく方向に向けたスライド操作（以下、「第１１スライド操作」と称す）の入力情報を検出することで、画像データ４７の表示が次頁の画像に切り換わるように表示を制御する。逆に、表示部１７から離れる方向に向けたスライド操作（以下、「第１２スライド操作」と称す）を検出することで、頁逆方向送り操作として判断する。
【００７３】
図１９は、右開きが設定された場合に、右側面接触センサ２７を無効にし、左側面接触センサ２８を有効にする別の例の入力情報の定義を示す。この例では、右開きを設定する場合、左側面接触センサ２８に対してロングタップを行う。これにより、ＣＰＵ３８は、左側面接触センサ２８の検出を有効にし、右側面接触センサ２７の検出を無効化する。
【００７４】
図２０は、図１９の例の右開き設定での頁順方向送り操作を示す。ＣＰＵ３８は、右開きが設定された場合、図２０に示すように、例えば左手親指５９で左側面１５の凹凸部２４上で行われる、表示部１７から離れる方向に向けたスライド操作（以下、「第１３スライド操作」と称す）を、左側面接触センサ２８で検出することで、頁順方向送り操作であると判断する。これにより、ＣＰＵ３８は、第１３スライド操作に応答して、画像データ４７の表示が次頁の画像に切り換わるように制御する。逆に、例えば左手親指５９で行われる、表示部１７に近づく方向に向けたスライド操作（以下、「第１４スライド操作」と称す）を検出することで、頁逆方向送り操作として判断する。なお、図２０では、左手親指５９で第１４スライド操作を行えるので、左手の片手で電子機器９を持つことができる。
【００７５】
図２１は、図１９の例の左開き設定での頁順方向送り操作を示す。左開きを設定する場合、右側面接触センサ２７に対してロングタップを行う。これにより、ＣＰＵ３８は、右側面接触センサ２７の検出を有効にし、左側面接触センサ２８の検出を無効化する。
【００７６】
ＣＰＵ３８は、左開きが設定されている場合、図２１に示すように、例えば右手親指６１で右側面１６の凹凸部２４上で行われる、表示部１７に離れる方向に向けたスライド操作（以下、「第１５スライド操作」と称す）の入力情報を検出することで、画像データ４７の表示が次頁の画像に切り換わるように表示を制御する。逆に、例えば右手親指６１で行われる、表示部１７に近づく方向に向けたスライド操作（以下、「第１６スライド操作」と称す）を検出することで、頁逆方向送り操作として判断する。図２１では、右手親指６１で第１５スライド操作を行えるので、右手の片手で電子機器９を持つことができる。
【００７７】
図１９〜図２１で説明した例では、指のスライド操作の方向と画像の頁捲りの方向とが逆になっている。これは、実際の本の下面中央が上になるように本を撓ませながら本の端を指で擦らせて頁を捲っていく感覚を与える操作と同様である。そこで、画像を切り換えるときに、前述したような各紙に生じる挙動を再現した画像を表示するのが好適である。例えば、画面制御プログラム４２は、閲覧プログラム４１を実行している場合、表示させる画面を切り換える処理を行うときに、詳しくは図２２に示すように、実際の本が、中央が凸になるように撓んで捲られるまでの画像５１、例えばアニメーション画像や動画を表示部１７に表示させる。
【００７８】
また、上記各実施形態では、スライド操作に応答して１頁ずつ頁送りを行う構成として説明している。しかし、本発明ではこれに限らない。例えば、検出が有効な側面接触センサ２７，２８を有する側面１５，１６のうち、凹凸部２４以外の特定範囲で、スライド操作又はタップ等の特定操作を行うことで、ＣＰＵ３８は、複数頁をいっぺんにブラウジングするように表示を制御してもよい。特定範囲としては、例えば凹凸部２４よりも前、後、上、下のうちのいずれかの範囲にするのが好適である。なお、凹凸部２４は、第１入力部の一例であり、上述した特定範囲は、第２入力部の一例である。
【００７９】
図２３は、電子機器７０の両側面に窪み部７１，７２を設け、窪み部７１，７２の中に凹凸部２４を設けた例を示す。右側面接触センサ２７は、図２３に示すように、右側面１６のうちの窪み部７１を含む範囲に設けられている。左側面接触センサ２８は、左側面１５のうちの窪み部７２を含む範囲に設けられている。窪み部７１，７２を設けることで、電子機器７０を片手、ホールドするときの操作性が向上する。右側面１６の窪み部７１の位置は、例えば右手でホールドしたときの右手親指がかかる位置、また左側面１５の窪み部７２の位置は、例えば右手でホールドしたときの右手人指がかかる位置が好適である。
【００８０】
図２４は、図２３で説明した窪み部７１を拡大した図である。図２４に示すように、窪み部７１は、上斜面７１ａ、下斜面７１ｂ、及び底面７１ｃを有し、少なくとも底面７１ｃは厚み方向に沿う曲面になっている。凹凸部２４は、底面７１ｃに設けられており、ＣＰＵ３８は、底面７１ｃの範囲でスライド操作を検出することで、１頁ずつの頁送り操作であると判断する。そして、ＣＰＵ３８は、上斜面７１ａ、又は下斜面７１ｂの範囲でのスライド操作又はタップ等の特定操作を検出することで、複数頁をいっぺんにブラウジングする操作であると判断する。また、左側面１５の窪み部７２は、右側面１６の窪み部７１と同様な構成になっている。これによれば、片手で簡便にブランジング操作を行うことができる。なお、凹凸部２４を含む底面７１ｃは、第１入力部の一例であり、上斜面７１ａ、又は下斜面７１ｂは、第２入力部の一例である。
【００８１】
図２５は、左側面１５に複数の窪み部７２ａ〜７２ｄを設けた電子機器７５の例を示す。複数の窪み部７２ａ〜７２ｄは、上面１３側から順に、電子機器７５をホールドしたときの右手人指、右手中指、右手薬指、右手小指の位置に設けるのが、右手のホールド性が確実に向上するので、好適である。窪み部７２ａ〜７２ｄの各々には、凹凸部２４が設けられている。窪み部７２ａ〜７２ｄを含む左側面１５には、左側面接触センサ２８が設けられている。
【００８２】
図２５に示す例の場合、左側面１５には、複数の窪み部７２ａ〜７２ｄを有する。このため、開き設定操作に応じて左側面接触センサ２８の検出を有効にする場合、いずれかの窪み部７２ａ〜７２ｄに対応する入力情報の検出を有効にし、残りの窪み部での検出を無効化してもよい。
【００８３】
なお、窪み部７２ａ〜７２ｄのうちの任意の窪み部のみに凹凸部２４を設け、凹凸部２４を設けた窪み部での頁送り操作が有効となるように構成してもよい。この場合、凹凸部２４を有していない窪み部で開き設定操作を行うように構成してもよい。また、図２５で説明した左側面１５にある複数の窪み部７２ａ〜７２ｄを４個としているが、これに限らず、人差し指、中指、薬指、及び小指のうちのいずれかの指が掛かるように、２個又は３個でもよい。さらに、図２５で説明したと同様な構成の窪み部７２ａ〜７２ｄを、右側面１６に複数設けてもよい。この場合には、左側面１５に１個の窪み部を設け、左手で確実にホールドできるように構成すればよい。
【００８４】
図２６は、横姿勢のときに見開き表示を行う電子機器６２の例を示す。図２６に示す電子機器６２は、図６で説明した電子機器９と比べて、上面接触センサ６３、下面接触センサ６４、及び姿勢検出部６５を有しており、姿勢検出部６５で横姿勢を検出すると、見開き表示を行う。見開き表示は、画像データ４７の画像のうち、２頁分の画像を、画面の右側と左側とに並べて縮小して表示する。そして、上面接触センサ６３、及び下面接触センサ６４に対してスライド操作を行うことで、２頁分ずつ画像を切り換える。
【００８５】
なお、図２６で説明した例では、タッチセンサ１９、右側面接触センサ２７、左側面接触センサ２８に加えて、上面接触センサ６３、及び下面接触センサ６４を有する導電シート６６を用いる。また、図２６では、図６で説明したと同じ部材には同符号を付与している。
【００８６】
図２７は、横姿勢での見開き表示を示す。電子機器６２は、図２７に示すように、横姿勢にされると、例えば右に上面接触センサ６３が、また、左に下面接触センサ６４が位置する。このとき、上には、左側面接触センサ２８が、下には右側面接触センサ２７が位置する。なお、右に下面接触センサ６４が、また、左に上面接触センサ６３が位置する横姿勢もある。以下では、図２７に示す横姿勢を前提として説明する。姿勢検出部６５は、横姿勢を検出してＣＰＵ３８にその旨の情報を送る。
【００８７】
上面１３、及び下面１４は、凹凸部２４をそれぞれ有する。凹凸部２４は、図２で説明したと同様に、複数の凸条２５を有する。上面接触センサ６３、及び下面接触センサ６４は、凹凸部２４を含む範囲に設けられている。なお、図２７では、図１で説明したと同じ部材には同符号を付与してここでの詳しい説明を省略する。
【００８８】
図２８は、図２６で説明した電子機器６２の閲覧手順を示す。ＣＰＵ３８は、図２８に示すように、姿勢判定処理（Ｓ２０００）により、横姿勢である判断すると（Ｓ２１００のＹ側）、見開き表示になるように表示を制御する（Ｓ２２００）。そして、上面接触センサ６３に対して、表示部１７に近づく方向に向けたスライド操作（図２７に示す矢印Ａ方向の上スライド操作）の入力情報を検出すると（Ｓ２３００のＹ側）、右頁から左頁の方向（図２７に示す矢印Ｅ方向）に頁捲り表示の処理を行う（Ｓ２４００）。
【００８９】
また、上面接触センサ６３に対して上スライド操作でない場合（Ｓ２３００のＮ側）に、上面接触センサ６３に対して、表示部１７から離れる方向に向けたスライド操作（図２７に示す矢印Ｂ方向の下スライド操作）の入力情報を検出すると（Ｓ２５００のＹ側）、左頁から右頁の方向（図２７に示す矢印Ｆ方向）に頁捲り表示の処理を行う（Ｓ２６００）。
【００９０】
さらに、上面接触センサ６３に対して下スライド操作でない場合（Ｓ２５００のＮ側）に、下面接触センサ６４に対して、表示部１７に近づく方向に向けたスライド操作（図２７の矢印Ｃに向けた上スライド操作）の入力情報を検出すると（Ｓ２７００のＹ側）、左頁から右頁の方向（図２７に示す矢印Ｆ方向）に頁捲り表示の処理を行う（Ｓ２８００）。
【００９１】
そして、下面接触センサ６４に対して上スライド操作でない場合（Ｓ２７００のＮ側）に、下面接触センサ６４に対して、表示部１７から離れるスライド操作（図２７の矢印Ｄに向けた下スライド操作）の入力情報を検出すると（Ｓ２７００のＮ側）、右頁から左頁の方向（図２７に示す矢印Ｅ方向）に頁捲り表示の処理を行う（Ｓ２９００）。なお、スライド操作の方向Ａ〜Ｄと、画像の頁捲り方向（右開と左開き）の関係を、図１９〜図２１で説明したように、逆にしてもよい。
【００９２】
図２９は、図２６及び図２８で説明した電子機器６２に無効化部を設けた例の閲覧手順を示す。図６で説明したと同様に、無効化部は、無効化プログラムを記憶部３７に設ければよい。図２９に示す電子機器の例では、ＣＰＵ３８は、無効化プログラムを実行することで、例えば、横姿勢を検出すると、上面接触センサ６３の矢印Ｂ方向への下スライド操作と、下面接触センサ６４の矢印Ｄ方向への下スライド操作との検出を無効化する（Ｓ３０００）。
【００９３】
ＣＰＵ３８は、上面接触センサ６３から矢印Ａ方向への上スライド操作の入力情報を検出すると（Ｓ３１００）、右頁から左頁の方向に頁捲り表示（左開き表示）となるように表示を制御する（Ｓ３２００）。また、下面接触センサ６４から矢印Ｃ方向への上スライド操作の入力情報を検出すると、左頁から右頁の方向に頁捲り表示（右開表示）となるように表示を制御する（Ｓ３３００）。このように、見開き表示において、無効化処理を実行することで、不用意な操作により頁送りがなされることを未然に防ぐことができる。
【００９４】
また、図２８及び図２９の例では、縦姿勢であると判断する場合、図８で説明したと同じ手順（Ｓ１６００〜Ｓ１８００）を処理する。
【００９５】
なお、ＣＰＵ３８は、無効化プログラムを実行することで、例えば、横姿勢を検出すると、上面接触センサ６３の矢印Ａ方向への下スライド操作と、下面接触センサ６４の矢印Ｃ方向への下スライド操作との検出を無効化してもよい。この場合には、上面接触センサ６３から矢印Ｂ方向への下スライド操作の入力情報を検出すると、右頁から左頁の方向に頁捲り表示（左開き表示）となるように表示を制御する。また、下面接触センサ６４から矢印Ｄ方向への下スライド操作の入力情報を検出すると、左頁から右頁の方向に頁捲り表示（右開表示）となるように表示を制御する。
【００９６】
また、図２８及び図２９で説明した各実施形態では、横姿勢を検出することで見開き表示に切り換えているが、姿勢検出部６５を省略し、姿勢に関係なく常に見開き表示を行うように構成してもよい。この場合には、縦姿勢でも見開き表示になり、右側面接触センサ２７、及び左側面接触センサ２８を用いて頁送りを行う。
【００９７】
上記各実施形態では、開き設定操作により右開きか左開きかを設定しているが、本発明ではこれに限らず、右開きか左開きかの開き情報を含む属性情報を電子書籍である画像データが有してもよい。この場合、閲覧者は、例えばロングタップ等の開き設定操作を行うことなく、開き情報を自動的に設定することができる。また、開き情報が自動的に設定されるため、その設定に応じて無効化処理も自動的に行われる。
【００９８】
図３０は、開き情報を自動的に設定する電子機器７７のブロック図を示す。この例では、画像データ４７が開き情報を含む属性情報を有している。電子機器７７は、図３０に示すように、属性情報を格納する属性情報格納部７８を記憶部３７に備える。属性情報は、画像データ４７が有しており、右開き頁入力か左開き頁入力かの開き情報を含む。ＣＰＵ３８は、属性情報を画像データ４７から読み出し、読み出した属性情報を情報格納部７８に格納する。ＣＰＵ３８は、情報格納部７８から属性情報に含まれる開き情報を読み出し、開き情報に応じた開き設定を自動的に行う。
【００９９】
上記各電子機器では、電話機能を有する情報端末について説明しているが、本発明の適用対象は電話機能を有する情報端末に限定されるものではなく、各種装置、例えば、ＰＨＳ（Personal Handy-phone System）、ＰＤＡ（Personal Digital Assistan）、ポータブルナビゲーション装置、パーソナルコンピュータ、ゲーム機等に対しても本発明は適用できる。
【符号の説明】
【０１００】
９、６２、７０、７５、７７  電子機器
１７  表示部
１９  タッチセンサ
２４  凹凸部
２７  右側面接触センサ
２８  左側面接触センサ
【図１】
2015232752.tif 000003
【図２】
2015232752.tif 000004
【図３】
2015232752.tif 000005
【図４】
2015232752.tif 000006
【図５】
2015232752.tif 000007
【図６】
2015232752.tif 000008
【図７】
2015232752.tif 000009
【図８】
2015232752.tif 000010
【図９】
2015232752.tif 000011
【図１０】
2015232752.tif 000012
【図１１】
2015232752.tif 000013
【図１２】
2015232752.tif 000014
【図１３】
2015232752.tif 000015
【図１４】
2015232752.tif 000016
【図１５】
2015232752.tif 000017
【図１６】
2015232752.tif 000018
【図１７】
2015232752.tif 000019
【図１８】
2015232752.tif 000020
【図１９】
2015232752.tif 000021
【図２０】
2015232752.tif 000022
【図２１】
2015232752.tif 000023
【図２２】
2015232752.tif 000024
【図２３】
2015232752.tif 000025
【図２４】
2015232752.tif 000026
【図２５】
2015232752.tif 000027
【図２６】
2015232752.tif 000028
【図２７】
2015232752.tif 000029
【図２８】
2015232752.tif 000030
【図２９】
2015232752.tif 000031
【図３０】
2015232752.tif 000032